(57)【要約】【課題】  本発明は、使用者の体格や好みに合わせて、同一仕様の二台のベッドの使用形態が変更可能な組替え式ベッドを提供することを課題とする。【解決手段】  頭部側に配したヘッド部材と、ヘッド部材と同一高さの足元側に配したフット部材と、ヘッド部材とフット部材に着脱自在に連結される左右側枠部材と、ヘッド部材、フット部材及び左右側枠部材で囲まれた内部に支持される床部材からなり、ヘッド部材とフット部材は、上下に積重ねられたときに上下に連続する上下連結部を、上端面と下端面に有し、左右側枠部材は、少なくともフット部材に対し連結高さが少なくとも２段階選択可能に構成されているものである。【選択図】図７
2015123294.tif 000002
【特許請求の範囲】
【請求項１】
頭部側に配したヘッド部材と、ヘッド部材と同一高さの足元側に配したフット部材と、ヘッド部材とフット部材に着脱自在に連結される左右側枠部材と、ヘッド部材、フット部材及び左右側枠部材で囲まれた内部に支持される床部材からなり、ヘッド部材とフット部材は、上下に積重ねられたときに上下に連続する上下連結部を、上端面と下端面に有し、左右側枠部材は、ヘッド部材とフット部材に対し連結高さが少なくとも２段階選択可能に構成されていることを特徴とする組替え式ベッド。
【請求項２】
ヘッド部材とフット部材は同一形態、同一仕様に構成されていることを特徴とする請求項１に記載の組替え式ベッド。
【請求項３】
頭部側に配したヘッド部材と、ヘッド部材より所定寸法高さの低い足元側に配したフット部材と、ヘッド部材と頭部部材に着脱自在に連結される左右側枠部材と、ヘッド部材、フット部材及び左右側枠部材で囲まれた内部に支持される床部材からなり、ヘッド部材とフット部材は、上下に積重ねたときに上下に連続する上下連結部を、上端面と下端面に有し、フット部材は左右枠部材に対し、ヘッド部材と異なる高さ分、連結高さが２段階選択可能に構成されていることを特徴とする組替え式ベッド。
【発明の詳細な説明】
【技術分野】
【０００１】
本発明は、使用者の体格や好みに合わせて、同一仕様の二台のベッドの使用形態が変更可能な組替え式ベッドに関するものである。
【背景技術】
【０００２】
従来の二段ベッドは、それぞれ一対の支持脚を有するヘッド枠体とフット枠体と、ヘッド枠体とフット枠体との左右両端部間に、左右側枠体を着脱自在に連結するとともに、ヘッド枠体とフット枠体と左右側枠体で囲まれた内部に床部材を支持し、更に左右側枠体の上位であってヘッド枠体とフット枠体の両支持脚間に落下防止用の側柵を着脱可能に取り付けた基本構造の下段ベッドと上段ベッドを、上下に分離可能に連結した構造のものが一般的に提供されている。（例えば、特許文献１）
【０００３】
ここで、下段ベッドの使用空間が極端に狭くならないように、前記上段ベッドの床部材を十分に高い位置に設定するために、下段ベッドのヘッド枠体とフット枠体の支持脚が上方へ延長した長尺のものを用いている。それに対して、前記上段ベッドのヘッド枠体とフット枠体の支持脚は、高さが低く設定されている。
そして、下段ベッドの床部材の下方空間に移動式の引き出しを配したものも提供されている。
【０００４】
したがって、成長した使用者がそれぞれの部屋で使用するようになると、上段ベッドと下段ベッドの形態、仕様が異なる（ヘッド枠体とフット枠体の高さ、引き出しの有無等）ので、それぞれの好みが一致した場合、いずれを使用するかでいさかいの元にもなっていた。
【先行技術文献】
【特許文献】
【０００５】
【特許文献１】特開２００１−２５８６８４号公報
【発明の概要】
【発明が解決しようとする課題】
【０００６】
本発明は、簡単な構造で、好みに応じて選定された二つのベッドをそれぞれ単体のベッドとして使用することは勿論、二段ベッドとして使用することもができる組替えベッドを提供することを課題とする。
【課題を解決するための手段】
【０００７】
上記課題を解決する為、本発明が第１の手段として構成したところは、頭部側に配したヘッド部材と、ヘッド部材と同一高さの足元側に配したフット部材と、ヘッド部材とフット部材に着脱自在に連結される左右側枠部材と、ヘッド部材、フット部材及び左右側枠部材で囲まれた内部に支持される床部材からなり、ヘッド部材とフット部材は、上下に積重ねられたときに上下に連続する上下連結部を、上端面と下端面に有し、左右側枠部材は、ヘッド部材とフット部材に対し連結高さが少なくとも２段階選択可能に構成されているものである。
【０００８】
上記課題を解決する為、本発明が第２の手段として構成したところは、第１の手段に加え、ヘッド部材とフット部材は同一形態、同一仕様に構成されているものである。
【０００９】
上記課題を解決する為、本発明が第３の手段として構成したところは、頭部側に配したヘッド部材と、ヘッド部材より所定寸法高さの低い足元側に配したフット部材と、ヘッド部材と頭部部材に着脱自在に連結される左右側枠部材と、ヘッド部材、フット部材及び左右側枠部材で囲まれた内部に支持される床部材からなり、ヘッド部材とフット部材は、上下に積重ねたときに上下に連続する上下連結部を、上端面と下端面に有し、フット部材は左右枠部材に対し、ヘッド部材と異なる高さ分、連結高さが２段階選択可能に構成されているものである。
【発明の効果】
【００１０】
本発明の第１の手段としての構成によると、ヘッド部材とフット部材を同一高さとし、ヘッド部材とヘッド部材、フット部材とフット部材を上下に積重ねたときに互いの上端面と下端面に、上下に連続する上下連結部を設け、左右枠部材は、ヘッド部材とフット部材に対し連結高さが少なくとも２段階選択可能に構成されているので、同一仕様のベッドをそれぞれの好み、性別、体格に関係なく２台購入しても、設置場所が狭いときには、上下に積み重ねて二段ベッドとして使用し、使用者が二人とも幼児期であれば、上段ベッドの左右側枠部材は低い高さ位置でヘッド部材とヘッド部材に連結し、上段ベッドの床部材を親の目が届く低い高さ（１０８０ミリメートル）で使用し、二人とも学童期になれば、上段ベッドの左右側枠部材は高い高さ位置でヘッド部材とヘッド部材に連結し、下段ベッドの床部材の上方空間を広げた高さ（１２００ミリメートル）で使用することができる。
さらに、ヘッド部材の上端面と、フット部材の下端面に、上下連結部を設けているので、上段ベッドと下段ベッドを上下で入れ替えることが容易に行える。そのため、どちらを上段ベッドあるいは下段ベッドとして使用するのかあらかじめ決めておく必要がないので、２台のベッドは、それぞれ好みの色や形態のものを自由に選択することができる。
そして、二段ベッドとして使用していたベッドを単独で使用するときは、上段ベッドとして使用していたベッドの左右側枠部材を低い高さ位置でヘッド部材とフット部材に連結して使用し、二段ベッドの時、下段ベッドの床部材下方に配して使用していた引き出しを適宜個数に互いに分けることで、最初に購入したときのそれぞれの好みのベッドを選択して使用することができる。
【００１１】
本発明の第２の手段としての構成によると、ヘッド部材とフット部材は同一形態、同一仕様に構成されているので、製作が容易で安価に製作できる。
【００１２】
本発明の第３の手段としての構成によると、ヘッド部材とヘッド部材、フット部材とフット部材を上下に積重ねたときに互いの上端面と下端面に、上下に連続する上下連結部を設けるとともに、フット部材は、左右枠部材に対し連結高さが少なくとも２段階選択可能に構成されているので、同一仕様のベッドをそれぞれの好み、性別、体格に関係なく２台購入しても、設置場所が狭いときには、上下に積み重ねて二段ベッドとして使用することができる。
さらに、ヘッド部材の上端面と、フット部材の下端面に、上下連結部を設けているので、上段ベッドと下段ベッドを上下で入れ替えることが容易に行える。そのため、どちらを上段ベッドあるいは下段ベッドとして使用するのかあらかじめ決めておく必要がないので、２台のベッドは、それぞれ好みの色や形態のものを自由に選択することができる。
そして、二段ベッドとして使用していたベッドを単独で使用するときは、左右側枠部材に対してフット部材を上げた位置で連結し、二段ベッドの時、下段ベッドの床部材下方に配して使用していた引き出しを適宜個数に互いに分けることで、最初に購入したときのそれぞれの好みのベッドを選択して使用することができる。
【図面の簡単な説明】
【００１３】
【図１】本発明の第１実施例の正面概略図である。
【図２】本発明の第１実施例の左側面概略図である。
【図３】本発明の第１実施例の第２の使用例を示す左側面概略図である。
【図４】図１のＡ−Ａ線断面図である。
【図５】図２のＢ−Ｂ線断面図である。
【図６】図３のＣ−Ｃ線断面図である。
【図７】フット部材（ヘッド部材）の拡大裏面概略図である。
【図８】本発明の第２実施例の正面概略図である。
【図９】本発明の第２実施例の左側面概略図である。
【図１０】図８のＣ−Ｃ線断面図である。
【図１１】図９の上段のベッドを単独で使用した状態を示す左側面概略図である。
【図１２】本発明の第２実施例のヘッド部材の拡大裏面概略図である。
【発明を実施するための形態】
【００１４】
頭部側に配したヘッド部材と、ヘッド部材と足元側に配したフット部材と、ヘッド部材とフット部材に着脱自在に連結される左右側枠部材と、ヘッド部材、フット部材及び左右側枠部材で囲まれた内部に支持される床部材からなり、ヘッド部材とフット部材は、上下に積重ねたときに上下に連続する上下連結部を、上端面と下端面に有し、左右側枠部材は、少なくともフット部材に対し連結高さが少なくとも２段階選択可能に構成されると共に、ヘッド部材とフット部材は同一形態、同一仕様に構成されているものである。
【実施例】
【００１５】
以下、第１実施例を図１〜図７に基づいて詳述する。
図１〜図２において、同一仕様、同一形態で、色違いの２台のベッド（上段のベッドとなる一方のベッドの床部分を高い位置に取付け、下段のベッドとなる他方のベッドの床部分を低い位置に取り付けた状態。）を上下に積重ねて連結した２段ベッドを示している。
図３において、同一仕様、同一形態で、色違いの２台のベッドを、上段と下段のベッドの床部分を同じ高さ位置に（低い高さ位置）に取付けて、上下に積重ねて連結した２段ベッドを示している。
すなわち、上段のベッドも下段のベッドも、床部分の高さ位置が異なって使用される場合と、同じ高さで使用される場合を除き、その他の構成は全く同じである。
したがって、特に断りの無い限り、２台のベッド（上段のベッド、下段のベッド）に共通することとして、単にベッド１として説明する。
【００１６】
ベッド１は、頭部側に配したヘッド部材２と、ヘッド部材と同一高さで足元側に配したフット部材３と、ヘッド部材２とフット部材３に着脱自在に連結される左右側枠部材４，４と、ヘッド部材２、フット部材３及び左右側枠部材４，４で囲まれた内部に支持される床部材５，５から構成されている。
【００１７】
第１実施例では、ヘッド部材２とフット部材３は、同一形態、同一仕様に構成されているので、ヘッド部材２についてのみ説明する。
ヘッド部材２（図７に示す。）は、左右端部に配された左右脚体２１、２１と、左右脚体２１，２１間に配設された幕板２２と、左右脚体２１、２１の上端間に配設された上連結補強枠２３と、幕板２２と上連結補強枠２３間の左右方向中央部に配設された中央上下連結枠２４より構成されている。
【００１８】
そして、左右脚体２１、２１の上下端面には、ベッド１、１を上下に積重ねたとき、上下方向に連続するように、上端面と下端面に上下連結部２１１、２１１、２１２、２１２が形成され、裏面側上部には所定間隔（左右側枠部材４、４の選択された連結高さの寸法差、第１実施例では、１２０ミリメートル）を有して、上下上がり止め用連結螺孔２１３、２１３、２１４、２１４が形成され、裏面側上下方向中央部よりの下部には、左右側枠部材４、４の連結用縦溝２１５、２１５が形成され、連結用縦溝２１５、２１５の内部には上下２本で一組とされ、上下に所定間隔（第１実施例では、１２０ミリメートル）を有して、左右側枠部材４、４の上下連結用係止ピン２１６、２１６、２１７，２１７が設けられている。
【００１９】
幕板２２の内面左右方向中央には、床部材５の頭部側を支持するための床支持部材６を連結するための、左右で一対の床支持部材上下連結用螺孔２２１、２２２が上下方向に所定間隔（第１実施例では、１２０ミリメートル）を有して設けられている。
【００２０】
左右側枠部材４、４は同一形態、同一仕様であるので、一方側についてのみ説明する。
右側枠部材４は、内側に突出して前記床部材５の右端部下面を前後方向で支持する支持突部４１１を内面側に有する右側枠体４１と、右側枠体４１の上面に取付けられた右手摺枠体４２より構成されている。
そして、右側枠体４１の前後端部には、ヘッド部材２の前記連結用縦溝２１５に嵌入し、先端に形成されたフックを上下連結用係止ピン２１６、２１６、２１７，２１７のどちらかに係止するための連結板（公知技術であり図示せず。）が設けられ、右手摺枠体４２の前後端部には、ヘッド部材２の前記上下上がり止め用連結螺孔２１３、２１４のどちらかと連結するための連結用金具（公知技術であり図示せず。）が設けられている。
【００２１】
床部材５は、前後２つの同形のスノコ状の部材よりなり、左右端部下面と、頭部側最端部下面が、左右側枠部材４、４の前記支持突部４１１、４１１と、床支持部材６に載置される、前後方向に所定間隔を有する複数本の下部補強桟５１・・・と、下部補強桟５１・・・の上面で、左右方向に所定間隔を有する複数本の床面板材５２・・・より構成されている。
【００２２】
第１実施例は上記のごとく構成され、一般的には下段のベッド１として使用される場合は、ヘッド部材２の内面の床支持部材下連結用螺孔２２２に床支持部材６を取り付け、次に、左右側枠体４１、４１の連結板をヘッド部材２、フット部材３の下連結用係止ピン２１７、２１７に係止連結し、下上がり止め用連結螺孔２１４、２１４に左右右手摺枠体４２の連結用金具を連結し、左右側枠部体４、４とヘッド部材２、フット部材３を強固に連結する。
【００２３】
そして、使用者が二人とも幼児期（４歳未満）であれば、上段のベッド１も下段のベッド１と同様に組み立て、一方のベッド１の上連結部２１１、２１１に上下連結金具（公知技術であるから図示せず。）を差し込んで、抜け止めを行い、上下連結金具の上方に突出した部分に他方のベッド１の下連結部２１２、２１２を差し込んで、上段のベッド１と上下連結金具の抜け止めを行い、下段のベッド１と上段のベッド１を連結した後、床部材５、５を取付ける。この時、上段のベッド１の床部材５の上面は、床面から１０８０ミリメートルの高さで、下側のベッド１の床部材５の上面と上段のベッド１の床部材５の上面間の寸法は７８０ミリメートルで、保護者が十分に目の届く高さである。
尚、使用者の一人が学童期である程度の体格になれば、はしごの上り下りが容易になるので、上段のベッド１を使用して、下段のベッドを幼児期の使用者が使用するようにすればよい。
【００２４】
そして、使用者が二人とも、学童期である程度の体格になれば、上段のベッド１を取り外して、床部材５、５を取り除いた状態で、左右側枠部材４、４とヘッド部材２フット部材３の連結をはずし、ヘッド部材２の内面の床支持部材上連結用螺孔２２１に床支持部材６を取り付け直し、次に、左右側枠部体４、４をヘッド部材２、フット部材３の上連結用係止ピン２１６、２１６に係止連結し、上上がり止め用連結螺孔２１３、２１３に左右右手摺枠体４２の連結用金具を連結し、左右側枠部体４、４とヘッド部材２、フット部材３を強固に連結する
次に、前記と同様にして、下段のベッド１の上方に上記ベッド１を連結する。この状態で、
下側の床部材５の上面と上側の床部材５の上面間の寸法は９００ミリメートルとなる。
【００２５】
次に、二段ベッドとして使用していた二台のベッドを並置したり、あるいは、それぞれ別の部屋で使用する場合は、仕様は同じであるが、当初それぞれの好み（色、形態の相違等、性別の違いによる好みの差）で購入したベッド１、１を各自使用することとなる。
このとき、一般的に、２段ベッドとして使用しているときは、下段のベッド１の床部材５の下方空間に、前後左右２つずつ（計４つ）の移動可能な引き出し（箱体）１０・・・（図１、２に仮想線として示す。）を配しているので、二つずつに分けて使用するようにすればよい。
【００２６】
次に第２実施例を図８〜図１１に基づいて説明する。
図８〜図９において、同一仕様、同一形態の２台のベッドを、上段のベッドとなる一方のベッドの床部分を高い位置に取付け、下段のベッドとなる他方のベッドの床部分を低い位置に取付て、上下に積重ねて連結した２段ベッドを示している。
図１１において図９の上段のベッド１を下段のベッド１として使用した状態を示している。すなわち、上段のベッド１も下段のベッド１も、床部分の高さ位置が異なって使用される場合と、同じ高さで仕様される場合を除き、その他の構成は全く同じであるから、特に断りの無い限り、２台のベッドの両方に共通することとして、単にベッド１として説明する。
【００２７】
ベッド１は、頭部側に配したヘッド部材２０と、ヘッド部材２０より所定寸法（１２０ミリメートル）高さの低い足元側に配したフット部材３と、ヘッド部材２０とフット部材３に着脱自在に連結される左右側枠部材４，４と、ヘッド部材２、フット部材３及び左右側枠部材４，４で囲まれた内部に支持される床部材５，５から構成されている。
【００２８】
第２実施例のフット部材３は、第１実施例のヘッド部材２、フット部材３と同じ構成であるから説明は省略する。
第２実施例のヘッド部材２０は、図１２に示すように、左右端部に配された左右板体２０１、２０１と、左右板体２０１，２０１間の上下方向略中央部に配設された中間板体２０２と、左右板体２０１、２０１の上端間に配された上端板体２０３と、左右板体２０１，２０１間と、中間板体２０２と上端板体２０３間の外面側に配された外面板体２０４と、左右板体２０１，２０１間と中間板体２０２の内面側下方に配された内面板体２０５より構成され、外側と内側から使用可能な上下収納空間２０６、２０７を有している。
【００２９】
そして、左右板体２０１、２０１の上下端面には、ベッド１、１を上下に積重ねたとき、一方の上端面と他方の下端面に連続するように形成された第１実施例と同様の上下連結部２１１、２１１、２１２、２１２が形成され、裏面側上下方向略中央部には左右側枠部材４、４の上がり止め用連結螺孔２１０、２１０が形成され、裏面側下部には、左右側枠部材４、４の連結用縦溝２２０、２２０が形成され、連結用縦溝２２０、２２０の内部には上下２本で一組とされた左右側枠部材４、４の連結用係止ピン２３０、２３０が設けられている。
【００３０】
又、内面板体２０５幕板２２の内面左右方向中央には、床部材５の頭部側を支持するための床支持部材６を連結するための、左右で一対の床支持部材連結用螺孔２４０、２４０が設けられている。
すなわち、第２実施例のヘッド部材２０は、フット部材３に形成された上下連結用係止ピン２１６、２１６、２１７，２１７、及び、上下上がり止め用連結螺孔２１３、２１３、２１４，２１４、床支持部材上下連結用螺孔２２１、２２２の下側と同じものである。
【００３１】
左右側枠部材４、４、床部材５は第１実施例と同一形態、同一仕様であるので説明は省略する。
第２実施例は上記のごとく構成され、一般的には下段のベッド１として使用される場合は、ヘッド部材２０の内面の床支持部材連結用螺孔２４０に床支持部材６を取り付け、次に、左右側枠部体４、４をヘッド部材２０の連結用係止ピン２３０、２３０、フット部材３の下連結用係止ピン２１７、２１７に係止連結し、ヘッド部材２０の上がり止め用連結螺孔２１０、フット部材３の下上がり止め用連結螺孔２１４、２１４に左右手摺枠体４２、４２の連結用金具を連結し、左右側枠部体４、４とヘッド部材２０、フット部材３を強固に連結し、次に床部材５、５を取付ける。このとき床部材５の床面からの高さは３００ミリメートルとなる。（図１１に示す状態。）
【００３２】
次ぎに２段ベッドをして使用するときは、上段に位置するベッド１となる方のフット部材３と、左右枠部材４、４の連結状態を分解し、フット部材３の内面の床支持部材上連結用螺孔に床支持部材６を取り付け、次に、左右側枠部体４、４をフット部材３の上連結用係止ピンに係止連結し、上上がり止め用連結螺孔に左右右手摺枠体４２の連結用金具を連結し、左右側枠部体４、４とフット部材３を強固に連結する
この状態では、フット部材３の下端がヘッド部材２０の下方に所定寸法（１２０ミリメートル）突出した状態となっている。
【００３３】
そして、他方のベッド１（下段に位置するベッド１）のフット部材３の上面は、ヘッド部材２０の上面より、１２０ミリメートル低く位置しているので、下段のベッド１の上連結部２１１、２１１に上下連結金具（公知技術であるから図示せず。）を差し込んで、抜け止めを行い、上下連結金具の上方に突出した部分に他方のベッド１の下連結部２１２、２１２を差し込んで、上段のベッド１と上下連結金具の抜け止めを行い、下段のベッド１と上段のベッド１を連結し、次に床部材５、５を取付ける。
この状態で、下側の床部材５の上面と上側の床部材５の上面間の寸法は９００ミリメートルとなる。
【００３４】
実施例１、実施例２ともに、２台のベッドは、製作が容易で安価に製作できる同一の仕様、形態とされているが、需要者の好みに応じる場合、上下連結に支障の無い範囲で、それぞれのデザインが変わっていてもよい。たとえば、左右脚体２１、２１が水平断面で角型状のものと円形状ものでも、高さ方向の寸法連結位置が合っていれば２段ベッドとして使用できる。当然のごとく、左右側枠部材も上下連結に支障の無い範囲で、それぞれのデザインが変わっていてもよい。
【産業上の利用可能性】
【００３５】
以上のように、本発明は、組替え式ベッドに関し、簡単な構造で、単独のベッドとしても、２段ベッドとしても、又、使用者の発育、好みに応じて、使用可能なので、長期間にわたって、家庭、寮等で広く利用することができる。
【符号の説明】
【００３６】
１              ベッド
２（２０）      ヘッド部材
２１１          上連結部
２１２          下連結部
２１６          上連結用係止ピン
２１７          下連結用係止ピン
２２１          床支持部材上連結用螺孔
２２２          床支持部材下連結用螺孔
３              フット部材      
４、４          左右側枠部材
５              床部材
【図１】
2015123294.tif 000003
【図２】
2015123294.tif 000004
【図３】
2015123294.tif 000005
【図４】
2015123294.tif 000006
【図５】
2015123294.tif 000007
【図６】
2015123294.tif 000008
【図７】
2015123294.tif 000009
【図８】
2015123294.tif 000010
【図９】
2015123294.tif 000011
【図１０】
2015123294.tif 000012
【図１１】
2015123294.tif 000013
【図１２】
2015123294.tif 000014